(57)【要約】  可撓性ソールを含むゴルフ・クラブ・ヘッドの実施形態が、本明細書において説明される。一実施形態において、ゴルフ・クラブ・ヘッドは、ソールの反対側にあるクラウンと、ヒールの反対側にあるトウと、前端部の反対側にある後端部と、ホーゼルと、を有するボディを含む。ゴルフ・クラブ・ヘッドはまた、ソール湾曲プロファイルが前端部と後端部との間に延びるのに伴って変化する曲率半径を備えるソール湾曲プロファイルを含む。曲率半径は、ゴルフ・クラブ・ヘッド全体のたわみを増加させるように構成されており、これにより、ゴルフ・クラブ・ヘッドの内部エネルギーを増加させる。【選択図】図１０
2021529042.tif 000002
【特許請求の範囲】
【請求項１】
中空ボディ・ゴルフ・クラブであって、
前端部を有するボディと、
前記前端部の反対側にある後端部と、
クラウンと、
前記クラウンの反対側にあり、ソール表面を規定するソールであって、ゴルフ・クラブ・ヘッドがゴルフ・ボールを打つためにアドレス位置にあるときに、接地面が前記ソール表面に接する、前記ソールと、
ヒールと、
前記ヒールの反対側にあるトウと、ホーゼル構造物にある孔の中心を通って延びるホーゼル軸を有する前記ホーゼル構造物と、
前記前端部に位置し、幾何学的中心と、前記幾何学的中心に接するロフト平面と、を規定するストライク・フェースと、を備え、
前記幾何学的中心は、前記幾何学的中心を有する座標系を更に規定し、
前記座標系は、
前記ヒールと前記トウとの間において、前記幾何学的中心を通って延びるＸ軸と、
前記クラウンと前記ソールとの間において、前記幾何学的中心を通って延び、前記Ｘ軸に直交するＹ軸と、
前記前端部と前記後端部との間において、前記幾何学的中心を通って延び、前記Ｘ軸と前記Ｙ軸とに直交するＺ軸と、を備え、
前記Ｙ軸と前記Ｚ軸とがともに、前記クラウンと前記ソールとの間に、および前記前端部と前記後端部との間に延びるＹＺ平面を規定し、
前記中空ボディ・ゴルフ・クラブは、
前記ソールと前記ストライク・フェースとの交差部により規定されるソール遷移点と、
前記ソール表面と前記ＹＺ平面との交差部により規定されるソール湾曲プロファイルと、を更に備え、
前記ソール湾曲プロファイルは、前記ソール湾曲プロファイルが前記前端部と前記後端部との間に延びるのに伴って変化する曲率半径を備え、
前記曲率半径は、前記ソール湾曲プロファイルが前記前端部と前記後端部との間に延びるとき、１０インチ以下である、中空ボディ・ゴルフ・クラブ。
【請求項２】
前記曲率半径は、第１の変曲点と、第２の変曲点と、を備え、
前記ソール湾曲は、
前記ソール遷移点から前記第１の変曲点まで延び、前記ＸＺ平面に対して凹状である第１の凹セクションと、
前記第１の変曲点から前記第２の変曲点まで延び、前記ＸＺ平面に対して凸状である凸セクションと、
前記第２の変曲点から前記後端部まで延び、前記ＸＺ平面に対して凹状である第２の凹セクションと、を備える、請求項１に記載のゴルフ・クラブ・ヘッド。
【請求項３】
前記第１の凹セクションは、曲率半径（Ｒ３）を備え、
前記凸セクションは、曲率半径（Ｒ４）を備え、
前記第２の凹セクションは、曲率半径（Ｒ５）を備える、請求項２に記載のゴルフ・クラブ・ヘッド。
【請求項４】
前記ソール湾曲プロファイルは、奥部を更に備え、
前記奥部は、前記ＸＺ平面に最も近い前記ソール湾曲プロファイル上の点を表し、
前記奥部は、前記凸部上に位置している、請求項３に記載のゴルフ・クラブ・ヘッド。
【請求項５】
前記奥部は、奥部高さを備え、
前記奥部高さは、前記接地面から前記ＸＺ平面に最も近い前記奥部まで垂直に測定される、請求項４に記載のゴルフ・クラブ・ヘッド。
【請求項６】
前記奥部高さは、前記第１の凹セクションの前記曲率半径（Ｒ３）に反比例している、請求項５に記載のゴルフ・クラブ・ヘッド。
【請求項７】
奥部高さ比を更に備え、
前記奥部高さ比は、前記第１の凹セクションの前記曲率半径（Ｒ３）に対する前記奥部高さの比として規定される、請求項６に記載のゴルフ・クラブ・ヘッド。
【請求項８】
前記奥部高さ比は、０．３３未満である、請求項７に記載のゴルフ・クラブ・ヘッド。
【請求項９】
前記奥部高さ比は、０．００１から０．０５の間である、請求項８に記載のゴルフ・クラブ・ヘッド。
【請求項１０】
前記曲率半径Ｒ３とＲ５は、Ｒ４以上である、請求項３に記載のゴルフ・クラブ・ヘッド。
【請求項１１】
前記曲率半径Ｒ３は、前記曲率半径Ｒ４の少なくとも２倍である、請求項３に記載のゴルフ・クラブ・ヘッド。
【請求項１２】
深さと、奥部深さと、を更に備え、
前記クラブ・ヘッドの前記深さは、前記Ｚ軸と平行な方向において、前記前端部から前記後端部までの最も離れた点として測定され、
前記奥部深さは、前記ロフト平面から前記奥部まで垂直に測定される、請求項６に記載のゴルフ・クラブ・ヘッド。
【請求項１３】
奥部深さ比を更に備え、
前記奥部深さ比は、前記クラブ・ヘッドの前記深さに対する前記奥部深さの比として規定される、請求項１２に記載のゴルフ・クラブ・ヘッド。
【請求項１４】
前記奥部深さ比は、０．３５より大きい、請求項１３に記載のゴルフ・クラブ・ヘッド。
【請求項１５】
前記奥部深さ比は、０．４０から０．６０の間である、請求項１４に記載のゴルフ・クラブ・ヘッド。
【請求項１６】
前記曲率半径Ｒ５は、１０インチより大きい、請求項３に記載のゴルフ・クラブ・ヘッド。
【請求項１７】
前記第１の変曲点は、深さをも備え、
前記第１の変曲点深さは、前記ロフト平面に直交した方向に沿って、前記ロフト平面と前記第１の変曲点との間で測定される、請求項１３に記載のゴルフ・クラブ・ヘッド。
【請求項１８】
変曲点深さ比を更に備え、
前記変曲点深さ比は、前記クラブ・ヘッドの前記深さに対する前記第１の変曲点深さの比として規定される、請求項１７に記載のゴルフ・クラブ・ヘッド。
【請求項１９】
前記変曲点深さ比は、０．２５より大きい、請求項１８に記載のゴルフ・クラブ・ヘッド。
【請求項２０】
前記変曲点深さ比は、０．２５から０．４５の間である、請求項１９に記載のゴルフ・クラブ・ヘッド。
【発明の詳細な説明】
【技術分野】
【０００１】
（関連出願の相互参照）
本出願は、２０１９年６月１３日に出願された米国仮特許出願第６２／８６１，２４７号の優先権の利益、２０１９年６月３日に出願された米国仮特許出願第６２／８５６，６３７号の優先権の利益、および２０１８年６月２７日に出願された米国仮特許出願第６２／６９０，８５８号の優先権の利益を主張し、これらの出願の内容が参照により本明細書に完全に組み込まれる。
【０００２】
本開示は概してゴルフ・クラブに関し、特に、可撓性ソールを含むゴルフ・クラブ・ヘッドに関する。
【背景技術】
【０００３】
メタルウッド・ゴルフ・クラブ・ヘッドは、典型的には、中空金属クラブ・ボディに装着された高強度金属フェース・プレートを含む。メタルウッド・クラブ・ヘッドがゴルフ・ボールに衝突するとき、ボールの飛距離は、主に、クラブ・ヘッドからボールに伝えられる運動エネルギーの関数となる。衝突中、エネルギーのうちの幾らかが、衝突の結果として失われる。クラブ・ヘッドからゴルフ・ボールへのエネルギー伝達の尺度の１つが、反発係数（「ＣＯＲ」：Ｃｏｅｆｆｉｃｉｅｎｔ  ｏｆ  Ｒｅｓｔｉｔｕｔｉｏｎ）である。クラブ・ヘッドの比較的小さい変形とは対照的に、エネルギーのうちの大部分がゴルフ・ボールの大きい応力および変形の結果として失われる。したがって、衝突中に失われるエネルギー量を減らし、ひいてはエネルギー伝達効率を高めるために、衝突中にゴルフ・ボールに与えられる応力および変形速度は小さくされなければならない。
【０００４】
これを達成する１つの手法は、衝突中にクラブ・ヘッドのより大きい変形を可能にすることである。例えば、これは、フェース・プレートのたわみを大きくすることにより達成され得る。フェース・プレートのたわみを大きくする典型的な手法は、一様なフェース・プレートの薄化、フェース・プレートの厚さを変えること、フェース・プレートにリブ付補剛材を提供すること、より軽い材料、例えばチタンを使用すること、および、鋳造したフェース・プレートではなく、鍛造した、打抜き加工した、または機械加工した金属フェース・プレートを提供することを包含する。
【０００５】
衝突中のクラブ・ヘッドの変形を大きくするための別の手法は、クラブ・ヘッド・ボディの変形を大きくする。これは、前部領域と後部領域との間に曲率半径をもつようにクラブ・ヘッド・ボディの形状を変更することにより達成され得る。幾つかの従来技術のクラブ・ヘッドは、クラブ・ヘッドの前部と後部との間において外向きにより大きい反りのあるソール領域を提供することによりこれを達成している。外向きのより大きい反りは、ソール領域においてより広いエリアにわたって応力を分散させ、より大きい変形を促進するためにソール領域の厚さが薄くされることを可能にする。しかし、これらの従来技術のソール領域は、地面に向かって、および、クラブ・ヘッドのセンターラインから離れるように「外向きに弓形に湾曲」している。この結果、ストライク・フェースがアドレス位置において地面からより高くに位置することになり、衝突時に望ましい接触を達成することをより困難にする。アドレス位置において地面に向かって外向きに弓形に湾曲していない、ソールにおける大幅な反りを伴う、または、ゴルフ・クラブの最適な変形をもたらす他の構造を伴うゴルフ・クラブ・ヘッドが当技術分野において必要とされる。
【図面の簡単な説明】
【０００６】
【図１】ゴルフ・クラブ・ヘッドの前側のヒール側斜視図である。
【図２】図１のゴルフ・クラブ・ヘッドの背側のクラウン側斜視図である。
【図３】図１のゴルフ・クラブ・ヘッドの正面平面図である。
【図４】本明細書において説明されているようにＹＺ平面に沿って取得された図１のゴルフ・クラブ・ヘッドの断面図である。
【図５】ＹＺ平面に沿って取得されたゴルフ・クラブ・ヘッドの斜視断面図である。
【図６】図５のゴルフ・クラブ・ヘッドの上方からの断面図である。
【図７】図５のゴルフ・クラブ・ヘッドの詳細な断面図である。
【図８】ＹＺ平面に沿って取得されたゴルフ・クラブ・ヘッドの一部の断面図である。
【図９】ＹＺ平面に沿って取得された図８のゴルフ・クラブ・ヘッドの斜視断面図である。
【図１０】ゴルフ・クラブ・ヘッドの斜視断面図である。
【図１１】図１０のゴルフ・クラブ・ヘッドの底面図である。
【図１２】図１０のゴルフ・クラブ・ヘッドのヒール側斜視図である。
【図１３】図１０のゴルフ・クラブにより生成される内部エネルギーのグラフ表示の図である。
【発明を実施するための形態】
【０００７】
図の簡略化および明瞭化のために、図面は、構造の一般的な態様を示し、公知の特徴および技術の説明および詳細事項は、ゴルフ・クラブおよびゴルフ・クラブの製造方法を不必要に不明瞭にすることを避けるために省略される場合がある。更に、図面における要素は一定の縮尺で描かれるとは限らない。例えば、図中の幾つかの要素の寸法は、ゴルフ・クラブおよびゴルフ・クラブの製造方法の実施形態の理解を深めることに役立つように、他の要素より誇張される場合がある。異なる図面中における同じ参照符号は、同じ要素を表す。
【０００８】
逆反りソールを含むボディを含むメタルウッド・ゴルフ・クラブ・ヘッドが本明細書において説明される。特に、クラブ・ヘッドのソールはへこんだ領域を含み、へこんだ領域は、ソールの残りの領域の凹部に比べて逆の凹部の領域を含む。従来技術のメタルウッド・クラブ・ヘッドに比べて、逆反りソールは、クラブ・ヘッドの前端部とクラブ・ヘッドの後端部との間において、より急に湾曲したプロファイルに沿っている。これは、クラブ・ヘッドがゴルフ・ボールに衝突するときに、ボディのソールにおける、より大きいたわみを生じやすくする。クラブ・ボディの比較的大きいたわみは、従来技術のメタルウッド・ゴルフ・クラブに比べて、クラブ・ヘッドのより高い内部エネルギーをもたらし得る。クラブ・ヘッドの内部エネルギーがより高いことは、より遠くまで飛ぶゴルフ・ショットをもたらす。更に、衝突中におけるソールの比較的大きいたわみは、クラブ・ヘッドとの衝突時にゴルフ・ボールに生じるボール・スピン速度の低下をもたらし得る。
【０００９】
幾つかの実施形態において、本明細書において説明されているクラブ・ヘッドは、第１の端部において、および、第２の端部においてソールに装着された、ならびに、第１の端部と第２の端部との間のゴルフ・クラブ・ヘッドの内部空洞を通って延びた１つまたは複数の内部梁を更に含み得る。各梁の第１の端部はゴルフ・クラブ・ヘッドの前端部に近接した位置においてソールに装着されており、各梁の第２の端部はへこんだ領域において、または、へこんだ領域付近においてソールに装着されている。内部梁はソールを補強して故障を防ぎながら、ゴルフ・ボールとの衝突中にソールにおける屈曲を更に生じやすくする。
【００１０】
本説明における、および特許請求の範囲における「第１の」、「第２の」、「第３の」、「第４の」などの用語がある場合、それらは、類似の要素を区別するために使用されており、特定の逐次的な、または時系列的な順序を説明しているとは限らない。本明細書において説明されているゴルフ・クラブおよび製造方法の実施形態が、例えば、本明細書において示されているもの、または別様に説明されているものと異なる順序により実施することができるように、上記のように使用される用語は適切な状況において互いに置換可能であることを理解されたい。更に、「包含する」、「含む」、および「有する」といった表現、ならびにそれらの類義語は、非排他的な包含を含むことを意図したものであり、したがって、要素の列挙を含む工程、方法、物、または装置は、それらの要素に限定されるとは限らず、明示的に列挙されていない、または、このような工程、方法、物、もしくは装置に本来的に備わる他の要素を含んでもよい。
【００１１】
本説明における、および特許請求の範囲における「左」、「右」、「前」、「後」、「上部」、「底部」、「側」、「下」、「上」などの用語がある場合、説明目的で使用されており、永久的な相対位置を説明するためのものとは限らない。上記のように使用される用語は、適切な状況において互いに置換可能であることが理解され、したがって、本明細書において説明されているゴルフ・クラブおよび製造方法の実施形態は、例えば、本明細書において示されているもの、または別様に説明されているものとは異なる他の配向において実施することが可能である。本明細書において使用される「結合された」という用語は、物理的手法、機械的手法、または他の手法により直接的に、または間接的に接続されていることと規定される。
【００１２】
本開示の任意の実施形態が詳細に説明される前に、本開示がその用途において、以下の説明に記載されている、または以下の図面に示されている詳細な構造およびコンポーネントの配置に限定されないことを理解されたい。本開示は、他の実施形態であることが可能であり、様々な手法により実施されること、または実行されることが可能である。
【００１３】
図１〜図４は、可撓性ソール１１２を有するゴルフ・クラブ・ヘッド１００の一実施形態を示す。ソール１１２は（接地面から離れるように）内向きに反るように設計されており、それにより、ゴルフ・ボールとの衝突時におけるゴルフ・クラブ・ヘッド１００の柔軟性を増加させる高める。その増加が、より大きい内部エネルギーがゴルフ・クラブ・ヘッド１００により生成されることをもたらす。内部エネルギーのこの増加は、ゴルフ・クラブ・ヘッド１００により打たれたゴルフ・ボールのボール速度を上げる。より速いボール速度は、続いて、より遠くまで飛ぶゴルフ・ショットを直接的に意味する。内向きに反ったソールは、内向きに反ったソールを有していないゴルフ・クラブ・ヘッドより５ヤード〜１０ヤードだけ長い距離をもたらす。ゴルフ・クラブ・ヘッド１００は、ゴルフ・クラブ・ヘッド１００の柔軟性を抑制および制御する１つまたは複数の高剛性化梁２９０を更に備え得る。
【００１４】
Ｉ．内向きに反ったゴルフ・クラブ・ヘッド
図１〜図４は、ボディ１０２とストライク・フェース１０４とを有するゴルフ・クラブ・ヘッド１００を示す。クラブ・ヘッド１００のボディ１０２は、前端部１０６、前端部１０６の反対側にある後端部１０８、クラウン１１０、クラウン１１０の反対側にあるソール１１２、ヒール１１４、および、ヒール１１４の反対側にあるトウ１１６を含む。ゴルフ・クラブ・ヘッド１００のソール１１２は、接地面１１３を備え、ゴルフ・ボールを打つためにゴルフ・クラブ・ヘッド１００がアドレス位置にあるとき、接地面１１３がソール１１２に接する。
【００１５】
クラブ・ヘッド１００は中空ボディ・クラブ・ヘッドである。ゴルフ・クラブ・ヘッド１００は、ボディ１０２と、ストライク・フェース１０４と、を備える。ボディ１０２とストライク・フェース１０４は、ゴルフ・クラブ・ヘッド１００の内部空洞１１８（図４）を規定する。示される実施形態において、ボディ１０２は、クラウン１１０と、ソール１１２と、ヒール１１４と、トウ１１６と、後端部１０８と、クラブ・ヘッド１００の前端部１０６の外縁部１２０（図３）を更に規定する。これらの特徴は、中空ボディを更に規定し得る。ボディ１０２の外縁部１２０は、クラブ・ヘッド１００の前端部１０６において、開口１２２を更に規定し、ストライク・フェース１０４は、開口１２２を塞ぐように外縁部１２０に結合されており、これにより、クラブ・ヘッド１００を形成している。他の実施形態（図示省略）において、ストライク・フェース１０４は、クラブ・ヘッドの前端部１０６の全体にわたって広がり得、クラウン１１０と、ソール１１２と、ヒール１１４と、トウ１１６のうちの少なくとも１つにわたって広がる戻り部を含み得る。これらの実施形態において、ストライク・フェース１０４の戻り部は、クラブ・ヘッド１００を形成するようにボディ１０２に結合されている。
【００１６】
図３に示されるように、クラブ・ヘッド１００は、ホーゼル構造物１２４と、ホーゼル構造物１２４の孔に沿って中央に延びたホーゼル軸１２６と、を更に備える。ホーゼル構造物１２４は、ゴルフ・シャフト（図示省略）の端部に結合され得る。ゴルフ・シャフトは、ホーゼル軸１２６に対して複数の角度でホーゼル構造物１２４に固定され得る。しかし、シャフトがホーゼル構造物１２４に調節不能に固定され得る他の例が存在し得る。
【００１７】
クラブ・ヘッド１００は、深さ１４０と、長さ１４２と、高さ１４４を規定している。図４を参照すると、クラブ・ヘッド１００の深さ１４０は、Ｚ軸１０１６と平行な方向において、前端部１０６から後端部１０８までのクラブ・ヘッド１００の最も離れた範囲として測定され得る。
【００１８】
クラブ・ヘッド１００の長さ１４２は、正面図（図３）から見たときに、Ｘ軸１０１２と平行な方向において、ヒール１１４からトウ１１６までのクラブ・ヘッド１００の最も離れた範囲として測定され得る。多くの実施形態において、クラブ・ヘッド１００の長さ１４２は、ゴルフ管理組織、例えば全米ゴルフ協会（ＵＳＧＡ：ｔｈｅ  Ｕｎｉｔｅｄ  Ｓｔａｔｅｓ  Ｇｏｌｆ  Ａｓｓｏｃｉａｔｉｏｎ）に従って測定され得る。例えば、クラブ・ヘッド１００の長さ１４２は、ウッド・クラブのクラブ・ヘッド・サイズを測定するためのＵＳＧＡの手順に従って特定され得る（ＵＳＧＡ−ＴＰＸ３００３、Ｒｅｖ．２．１、２０１９年４月９日）。
【００１９】
クラブ・ヘッド１００の高さ１４４は、正面図（図３）から見たときに、Ｙ軸１０１４と平行な方向において、クラウン１１０からソール１１２までのクラブ・ヘッド１００の最も離れた範囲として測定され得る。多くの実施形態において、クラブ・ヘッド１００の高さ１４４は、ゴルフ管理組織、例えば全米ゴルフ協会（ＵＳＧＡ）に従って測定され得る。例えば、クラブ・ヘッド１００の高さ１４４は、ウッド・クラブのクラブ・ヘッド・サイズを測定するためのＵＳＧＡの手順に従って特定され得る。
【００２０】
多くの実施形態において、クラブ・ヘッド１００の容積（Ｖ）は、約１５０ｃｃより大きい、約１６０ｃｃより大きい、約１７０ｃｃより大きい、約１７０ｃｃより大きい、約１８０ｃｃより大きい、約１９０ｃｃより大きい、または、約１９５ｃｃより大きい。幾つかの実施形態において、クラブ・ヘッドの容積（Ｖ）は、約１５０ｃｃ〜１９８ｃｃ、１６０ｃｃ〜１９８ｃｃ、１７０ｃｃ〜１９８ｃｃ、約１８０ｃｃ〜１９８ｃｃ、または約１９０ｃｃ〜１９９ｃｃであり得る。
【００２１】
更に、多くの実施形態において、クラブ・ヘッド１００の容積は、約４００ｃｃより大きい、約４２５ｃｃより大きい、約４５０ｃｃより大きい、約４７５ｃｃより大きい、約５００ｃｃより大きい、約５２５ｃｃより大きい、約５５０ｃｃより大きい、約５７５ｃｃより大きい、約６００ｃｃより大きい、約６２５ｃｃより大きい、約６５０ｃｃより大きい、約６７５ｃｃより大きい、または約７００ｃｃより大きい。幾つかの実施形態において、クラブ・ヘッド１００の容積は、約４００ｃｃ〜６００ｃｃ、４２５ｃｃ〜５００ｃｃ、約５００ｃｃ〜６００ｃｃ、約５００ｃｃ〜６５０ｃｃ、約５５０ｃｃ〜７００ｃｃ、約６００ｃｃ〜６５０ｃｃ、約６００ｃｃ〜７００ｃｃ、または約６００ｃｃ〜８００ｃｃであり得る。
【００２２】
続けて図３を参照すると、クラブ・ヘッド１００のストライク・フェース１０４は、中心点または幾何学的中心１２８を規定する。幾つかの実施形態において、幾何学的中心１２８は、ストライク・フェース外縁１３０の幾何学的中心点に、および、フェース高さ１３２の中点に位置し得る。同じまたは他の例において、幾何学的中心１２８は、更に、ストライク・フェース１０４における溝１３６の領域により規定され得る設計された衝突ゾーン１３４に対して中心に位置し得る。別のアプローチとして、ストライク・フェース１０４の幾何学的中心１２８は、ゴルフ管理組織、例えば全米ゴルフ協会（ＵＳＧＡ）の定義に従い得る。例えば、ストライク・フェース１０４の幾何学的中心１２８は、ゴルフ・クラブ・ヘッドの柔軟性を測定するためのＵＳＧＡの手順のセクション２．１に従って特定され得る（ＵＳＧＡ−ＴＰＸ３００４、Ｒｅｖ．２．０、２０１９年４月９日）。
【００２３】
図３および図４を参照すると、クラブ・ヘッド１００は、ストライク・フェース１０４の幾何学的中心１２８に接したロフト平面１０１０を更に規定する。フェース高さ１３２は、クラウン１１０付近のストライク・フェース外縁１３０の上部端部とソール１１２付近のストライク・フェース外縁１３０の底部端部との間において、ロフト平面１０１０に平行に測定され得る。
【００２４】
ストライク・フェース１０４の幾何学的中心１２８は、ストライク・フェース１０４の幾何学的中心１２８に位置する原点をもつゴルフ・クラブ・ヘッド１００の座標系を更に規定する。座標系は、Ｘ軸１０１２と、Ｙ軸１０１４と、Ｚ軸１０１６と、を更に備える。Ｘ軸１０１２は、クラブ・ヘッド１００のヒール１１４からトウ１１６に向かう方向にストライク・フェース１０４の幾何学的中心１２８を通って延びている。Ｙ軸１０１４は、クラブ・ヘッド１００のクラウン１１０からソール１１２に向かう方向にストライク・フェース１０４の幾何学的中心１２８を通って延びており、Ｘ軸１０１２に直交している。Ｚ軸１０１６は、クラブ・ヘッド１００の前端部１０６から後端部１０８に向かう方向にストライク・フェース１０４の幾何学的中心１２８を通って延びており、Ｘ軸１０１２とＹ軸１０１４に直交している。
【００２５】
座標系は、Ｘ軸１０１２とＹ軸１０１４を通って延びたＸＹ平面１０１８、Ｘ軸１０１２とＺ軸１０１６を通って延びたＸＺ平面１０２０、および、Ｙ軸１０１４とＺ軸１０１６を通って延びたＹＺ平面１０２２を規定する。ＸＹ平面１０１８と、ＸＺ平面１０２０と、ＹＺ平面１０２２はすべて、互いに直交しており、ストライク・フェース１０４の幾何学的中心１２８に位置する座標系の原点において交差している。ＸＹ平面１０１８は、ホーゼル軸１２６に平行に延びており、ロフト平面１０１０からクラブ・ヘッド１００のロフト角度１３８に対応した角度で位置している。更に、Ｘ軸１０１２は、ＸＹ平面１０１８に直交する方向から（すなわち、図４において見られるように）見られた場合、ホーゼル軸１２６に対して約６０度の角度で位置している。他の実施形態において、Ｘ軸１０１２は、ＸＹ平面１０１８に直交する方向から見られた場合ホーゼル軸１２６に対して４５度〜７０度の角度で位置し得る。
【００２６】
これらの実施形態または他の実施形態において、ストライク・フェース１０４がＸＹ平面１０１８に直交する方向から見られる場合、クラブ・ヘッド１００は、（例えば図３に示されるような）正面図から見られ得る。更に、これらの実施形態または他の実施形態において、ヒール１１４がＹＺ平面１０２２に直交する方向から見られる場合、クラブ・ヘッド１００は、側面図または側面断面図（例えば図４に示されるような）から見られ得る。
【００２７】
図３および図４に示されるように、クラブ・ヘッド１００は、ヘッド重心（ＣＧ：ｃｅｎｔｅｒ  ｏｆ  ｇｒａｖｉｔｙ）１４６と、ヘッド深さ平面１０２４と、を更に備える。ヘッド深さ平面１０２４は、クラブ・ヘッド１００のヒール１１４からトウ１１６に向かう方向において、ロフト平面１０１０に直交しており、ストライク・フェース１０４の幾何学的中心１２８を通って延びている。多くの実施形態において、ヘッドＣＧ１４６は、ＸＹ平面１０１８からのヘッドＣＧ深さに位置し、ＸＹ平面１０１８に直交する方向に測定される。幾つかの実施形態において、ヘッドＣＧ１４６は、ロフト平面１０１０からのヘッドＣＧ深さ１４８に位置し、ロフト平面１０１０に直交した方向に測定され得る。ヘッドＣＧ１４６は、ヘッド深さ平面１０２４からのヘッドＣＧ高さ１５０に更に位置し、ヘッド深さ平面１０２４に直交する方向に測定される。更に、ヘッドＣＧ高さ１５０は、クラウン１１０に向かっており、またはソール１１２に向かっているヘッド深さ平面１０２４に直交する方向において、ヘッド深さ平面１０２４からのオフセット距離として測定される。多くの実施形態において、ヘッドＣＧ１４６がヘッド深さ平面１０２４の上方に（すなわち、ヘッド深さ平面１０２４とクラウン１１０との間に）位置しているとき、ヘッドＣＧ高さ１５０は、正の値であり、ヘッドＣＧ１４６がヘッド深さ平面１０２４の下方に（すなわち、ヘッド深さ平面１０２４とソール１１２との間に）位置しているとき、ヘッドＣＧ高さ１５０は、負の値である。幾つかの実施形態において、ヘッドＣＧ高さ１５０の絶対値は、ヘッド深さ平面１０２４の上方または下方に（すなわち、ヘッド深さ平面１０２４とクラウン１１０との間に、または、ヘッド深さ平面１０２４とソール１１２との間に）位置しているヘッドＣＧ１４６を説明し得る。多くの実施形態において、ヘッドＣＧ１４６は、クラブ・ヘッド１００のソール１１２および後端部１０８に向けて戦略的に配置される。
【００２８】
ヘッドＣＧ１４６は、Ｘ’軸１０２６と、Ｙ’軸１０２８と、Ｚ’軸１０３０を有する座標系の原点を規定する。Ｙ’軸１０２８は、側面図から見られた場合、ホーゼル軸１２６に平行に、正面図から見られた場合（すなわち、図３において見られるように）、ホーゼル軸１２６に対して３０度の角度で、ヘッドＣＧ１４６を通ってクラウン１１０からソール１１２まで延びている。Ｘ’軸１０２６は、ヘッドＣＧ１４６を通ってヒール１１４からトウ１１６まで延びており、正面図から見られたときＹ’軸１０２８に直交して、および、ＸＹ平面１０１８に平行に延びている。Ｚ’軸１０３０は、ヘッドＣＧ１４６を通って前端部１０６から後端部１０８まで延びており、Ｘ’軸１０２６とＹ’軸１０２８に直交して延びている。多くの実施形態において、Ｘ’軸１０２６は、ヘッドＣＧ１４６を通ってヒール１１４からトウ１１６まで、Ｘ軸１０１２に平行に延びている。Ｙ’軸１０２８は、Ｙ軸１０１４に平行に、ヘッドＣＧ１４６を通ってクラウン１１０からソール１１２まで延びている。Ｚ’軸１０３０は、ヘッドＣＧ１４６を通って前端部１０６から後端部１０８まで、Ｚ軸１０１６に平行に延びている。
【００２９】
上記の例はウッド・タイプのゴルフ・クラブ１００に関連して説明されている場合があるが、本明細書において説明されている装置、方法、および製品は、ドライバ、フェアウェイ・ウッド、ハイブリッド、クロスオーバー、または任意の中空ボディ・タイプのゴルフ・クラブを含む様々なタイプのゴルフ・クラブに適用可能であってもよい。
【００３０】
クラブ・ヘッド１００は、ロフト平面１０１０と接地面１１３との間の角度として測定されたロフト角度（図示されていない）を更に備える。多くの実施形態において、ロフト角度は、約７度から４０度の間の範囲にある。幾つかの実施形態において、クラブ・ヘッド１００のロフト角度は、約１６度未満、約１５度未満、約１４度未満、約１３度未満、約１２度未満、約１１度未満、または、約１０度未満である。
【００３１】
多くの実施形態において、クラブ・ヘッド１００のロフト角度は、約３５度未満、約３４度未満、約３３度未満、約３２度未満、約３１度未満、または約３０度未満である。更に、多くの実施形態において、クラブ・ヘッド１００のロフト角度は、約１２度より大きい、約１３度より大きい、約１４度より大きい、約１５度より大きい、約１６度より大きい、約１７度より大きい、約１８度より大きい、約１９度より大きい、または約２０度より大きい。例えば、幾つかの実施形態において、クラブ・ヘッド１００のロフト角度は、１２度から３５度の間、１５度から３５度の間、２０度から３５度の間、または１２度から３０度の間であり得る。
【００３２】
多くの実施形態において、クラブ・ヘッド１００のロフト角度は、約４０度未満、約３９度未満、約３８度未満、約３７度未満、約３６度未満、約３５度未満、約３４度未満、約３３度未満、約３２度未満、約３１度未満、または約３０度未満である。更に、多くの実施形態において、クラブ・ヘッド１００のロフト角度は、約１６度より大きい、約１７度より大きい、約１８度より大きい、約１９度より大きい、約２０度より大きい、約２１度より大きい、約２２度より大きい、約２３度より大きい、約２４度より大きい、または約２５度より大きい。
【００３３】
クラブ・ヘッド１００のストライク・フェース１０４は、第１の材料から形成されている。多くの実施形態において、第１の材料は、金属合金、例えば、チタン合金（例えば、Ｔｉ  ７−４、Ｔｉ  ６−４、Ｔ−９Ｓ、Ｔｉ  ＳＳＡＴ２０４１、Ｔｉ  ＳＰ７００、Ｔｉ  １５−０−３、Ｔｉ  １５−５−３、Ｔｉ  ３−８−６−４−４、Ｔｉ  １０−２−３、Ｔｉ  １５−３−３−３、Ｔｉ−６−６−２、Ｔｉ−１８５、ＨＳＴ−１８０など、または、それらの任意の組合せ）、鋼合金（例えば、Ｃ３００鋼、Ｃ３５０鋼、４５５鋼、４３１鋼、４７５鋼、５６５鋼、１７−４ステンレス鋼、マルエージング鋼、Ｎｉ−Ｃｏ−Ｃｒ鋼合金など）、アルミニウム合金、または、任意の他の金属もしくは金属合金であり得る。他の実施形態において、第１の材料は、別の材料、例えば、複合材料、プラスチック、熱可塑性複合材料、または、任意の他の適切な材料もしくは材料の組合せであり得る。
【００３４】
クラブ・ヘッド１００のボディ１０２は第２の材料から形成されている。多くの実施形態において、第１の材料は、金属合金、例えば、チタン合金（例えば、Ｔｉ  ７−４、Ｔｉ  ６−４、Ｔ−９Ｓ、Ｔｉ  ＳＳＡＴ２０４１、Ｔｉ  ＳＰ７００、Ｔｉ  １５−０−３、Ｔｉ  １５−５−３、Ｔｉ  ３−８−６−４−４、Ｔｉ  １０−２−３、Ｔｉ  １５−３−３−３、Ｔｉ−６−６−２、Ｔｉ−１８５など、または、それらの任意の組合せ）、鋼合金（例えば、Ｃ３００鋼、Ｃ３５０鋼、４５５鋼、４３１鋼、４７５鋼、５６５鋼、１７−４ステンレス鋼、マルエージング鋼、Ｎｉ−Ｃｏ−Ｃｒ鋼合金など）、アルミニウム合金、または、任意の他の金属もしくは金属合金であり得る。他の実施形態において、第１の材料は、別の材料、例えば、複合材料、プラスチック、または、任意の他の適切な材料もしくは材料の組合せであり得る。示される実施形態において、第２の材料は、第１の材料と異なる。他の実施形態において、第１の材料と第２の材料とは同じであり得る。
【００３５】
ＩＩ．逆反りソール
図２を参照すると、ゴルフ・クラブ・ヘッド１００のソール１１２は、ソール１１２が内部空洞１１８（図４）に向かう方向に内側に曲がったへこみ、またはへこんだ領域１５２を更に含む。ＸＺ平面１０２０（図４）に関連して、へこんだ領域１５２は、ＸＺ平面１０２０に対して凸状の逆反り領域１５４を含む。典型的な従来技術のメタルウッドは、同等なＸＺ平面に対して凹状でのみあるソール・プロファイルを含む。したがって、典型的な従来技術のメタルウッドは、前端部と後端部との間に比較的大きい曲率半径（すなわち、約２２インチ〜２５インチの曲率半径）を有するソール・プロファイルを含む。対照的に、ゴルフ・クラブ・ヘッド１００のへこんだ領域１５２は、ソール１１２が、前端部１０６と後端部１０８との間においてはるかに急に湾曲したプロファイルに沿うことを可能にする。例えば、クラブ・ヘッド１００の幾つかの実施形態では、（例えば図４において見られるように）ＹＺ平面１０２２に沿って取得された側面断面図から見られた場合、ＹＺ平面１０２２により切断されたソール１１２のどの部分も前端部１０６と後端部１０８との間に１０インチより大きい曲率半径を含まない。
【００３６】
更に、クラブ・ヘッド１００の示される実施形態において、ＹＺ平面１０２２に沿って取得された側面断面図から見られた場合、ソール１１２のどの部分も６インチより大きい曲率半径を含まない。ソール１１２にへこんだ領域１５２を実装することにより、前端部１０６と後端部１０８との間においてソール１１２の比較的小さい曲率半径を達成し、、クラブ・ヘッド・ボディ１０２は、ゴルフ・ボールとの衝突中に、ソール１１２においてより大きい変形を受ける。これは、ゴルフ・クラブ・ヘッド１００のたわみの増加と、衝突中におけるクラブ・ヘッド１００からボールへの、より効率的なエネルギー伝達をもたらす。ソール１１２の湾曲は、以下で更に詳細に説明される。
【００３７】
図４を参照すると、クラブ・ヘッド１００は、前端部１０６がソール１１２に遷移するフェース・ソール遷移境界１５６（図２）を含む。フェース・ソール遷移境界１５６は、前端部１０６とソール１１２との間においてヒール１１４付近からトウ１１６付近まで延びている。フェース・ソール遷移プロファイル１５８は、フェース・ソール遷移境界１５６がＹＺ平面１０２２により切断された場所に規定される。すなわち、フェース・ソール遷移プロファイル１５８は、（例えば図４において見られるように）ＹＺ平面１０２２に沿って取得された側面断面図から見られた場合に見えるように、ＹＺ平面１０２２により切断されたフェース・ソール遷移境界１５６の線状部分である。
【００３８】
フェース・ソール遷移プロファイル１５８は、フェース・ソール遷移曲率半径Ｒ１に沿っている。フェース・ソール遷移プロファイル１５８は、ストライク・フェース１０４の外形がストライク・フェース１０４のロール半径から逸脱しているストライク・フェース遷移点１６０からソール遷移点１６２まで延びており、ソール遷移点１６２において、ソール１１２の湾曲がフェース・ソール遷移曲率半径Ｒ１から逸脱している。ソール遷移点１６２は、ストライク・フェース１０４とソール１１２との交差部により規定されている。幾つかの実施形態において、フェース・ソール遷移曲率半径Ｒ１は、ストライク・フェース遷移点１６０からソール遷移点１６２にわたって一定の曲率半径をもつ。
【００３９】
幾つかの実施形態において、フェース・ソール遷移曲率半径Ｒ１は、約０．１０インチから０．５０インチの範囲であり得る。例えば、フェース・ソール遷移曲率半径Ｒ１は、約０．５インチ未満、約０．４７５インチ未満、約０．４５インチ未満、約０．４２５インチ未満、または、約０．４０インチ未満であり得る。更なる例において、フェース・ソール遷移曲率半径Ｒ１は、約０．１０インチ、０．１５インチ、０．２０インチ、０．２５インチ、０．３０インチ、０．３５インチ、０．４０インチ、０．４５インチ、または０．５０インチであり得る。
【００４０】
続けて図４を参照すると、ソール１１２は、前端部１０６から後端部１０８まで、およびヒール１１４からトウ１１６まで延びた外部ソール表面１６４（図２）を規定する。クラブ・ヘッド１００のソール湾曲プロファイル１６６は、ＹＺ平面１０２２により切断され、かつソール遷移点１６２から後端部１０８まで延びたソール表面１６４の線状の範囲として規定されている。ソール湾曲プロファイル１６６は、第１の凹セクション１６８と、凸セクション１７０と、第２の凹セクション１７２を含む。第１の凹セクション１６８は、ソール遷移点１６２から第１の変曲点１７４まで延びており、ＸＺ平面１０２０に対して凹状である（接地面１１３に対して凸状である）。第１の変曲点１７４は、前端部１０６から後端部１０８に向かってソール湾曲プロファイル１６６をたどるとき、ソール湾曲プロファイル１６６に沿っており、ソール湾曲プロファイル１６６がＸＺ平面１０２０に対して凹部を反転させる第１の点として規定される。
【００４１】
ソール湾曲プロファイル１６６の凸セクション１７０は、第１の変曲点１７４から第２の変曲点１７６まで延びており、ＸＺ平面１０２０に対して凸状である（接地面１１３に対して凹状である）。第２の変曲点１７６は、前端部１０６から後端部１０８に向かってソール湾曲プロファイル１６６をたどるとき、ソール湾曲プロファイル１６６に沿っており、ソール湾曲プロファイル１６６がＸＺ平面１０２０に対して凹部を反転させる第２の点として規定される。ソール湾曲プロファイル１６６の第２の凹セクション１７２は、第２の変曲点１７６から後端部１０８まで延びており、ＸＺ平面１０２０に対して凹状である（接地面１１３に対して凸状である）。
【００４２】
続けて図４を参照すると、クラブ・ヘッド１００は、ロフト平面１０１０と第１の変曲点１７４との間においてロフト平面１０１０に直交した方向に沿って測定された第１の変曲点深さ１７８を更に含む。多くの実施形態において、クラブ・ヘッド１００の第１の変曲点深さ１７８は、０．５０インチより大きい。示される実施形態において、第１の変曲点深さ１７８は約、１．５０インチである。他の実施形態において、クラブ・ヘッド１００の第１の変曲点深さ１７８は、０．７５インチより大きい、１．００インチより大きい、１．１０インチより大きい、１．２０インチより大きい、１．３０インチより大きい、１．４０インチより大きい、１．５０インチより大きい、１．６０インチより大きい、１．７０インチより大きい、１．８０インチより大きい、１．９０インチより大きい、２．００インチより大きい、２．２５インチより大きい、または２．５０インチより大きい。例えば、幾つかの実施形態において、クラブ・ヘッド１００の第１の変曲点深さ１７８は、０．５０インチ〜２．５０インチの間、１．００インチ〜２．００インチの間、１．２５インチ〜１．７５インチの間、１．３５インチ〜１．６５インチの間、または１．４５インチ〜１．５５インチの間であり得る。幾つかの実施形態において、クラブ・ヘッド１００の第１の変曲点深さ１７８は、０．５０インチ、０．７５インチ、１．０インチ、１．２５インチ、１．５０インチ、１．７５インチ、２．００インチ、２．２５インチ、または２．５０インチであり得る。
【００４３】
クラブ・ヘッド１００の第１の変曲点深さ比は、クラブ・ヘッド１００の深さ１４０に対する第１の変曲点深さ１７８の比として規定される。多くの実施形態において、第１の変曲点深さ比は、０．２５より大きい。他の実施形態において、第１の変曲点深さ比は、０．３０より大きい、０．３１より大きい、０．３２より大きい、０．３３より大きい、０．３４より大きい、０．３５より大きい、０．３６より大きい、０．３７より大きい、０．３８より大きい、０．３９より大きい、０．４０より大きい、または０．４５より大きい。例えば、幾つかの実施形態において、クラブ・ヘッド１００の第１の変曲点深さ比は、０．２５〜０．４５の間、０．３０〜０．４５の間、０．２５〜０．４０の間、０．３０〜０．４０の間、０．３２〜０．３８の間、または０．３４〜０．３６の間であり得る。幾つかの実施形態において、クラブ・ヘッド１００の第１の変曲点深さ比は、０．２５、０．２６、０．２７、０．２８、０．２９、０．３０、０．３１、０．３２、０．３３、０．３４、０．３５、０．３６、０．３７、０．３８、０．３９、０．４０、０．４１、０．４２、０．４３、０．４４、または０．４５であり得る。
【００４４】
続けて図４を参照すると、クラブ・ヘッド１００のソール１１２は、奥部１８０を更に規定する。奥部１８０は、へこんだ領域１５２（図２）を通って延びたソール湾曲プロファイル１６６の断面に沿って位置している。特に、奥部１８０は、へこんだ領域１５２内でおよびＸＺ平面１０２０に最も近くでソール湾曲プロファイル１６６に位置する点として規定される。ほとんどの実施形態において、奥部１８０は、凸セクション１７０に位置している。言い換えると、奥部１８０は、へこんだ領域１５２が内部空洞１１８に向かって延びるときのへこんだ領域１５２の最低点を表す。
【００４５】
クラブ・ヘッド１００は、奥部高さ（図示省略）を更に含み、奥部高さは、接地面１１３から奥部１８０まで垂直に測定される。多くの実施形態において、クラブ・ヘッド１００の奥部高さは、０．０１インチから０．３０インチの間の範囲にある。他の実施形態において、クラブ・ヘッド１００の奥部高さは、０．０１インチ〜０．０５インチ、０．０５インチ〜０．１０インチ、０．１０インチ〜０．１５インチ、０．１５インチ〜０．２０インチ、０．２０インチ〜０．２５インチ、または０．２５インチ〜０．３０インチの間の範囲であり得る。他の実施形態において、奥部高さは、０．０１インチ、０．０２インチ、０．０３インチ、０．０４インチ、０．０５インチ、０．０６インチ、０．０７インチ、０．０８インチ、０．０９インチ、０．１０インチ、０．１１インチ、０．１２インチ、０．１３インチ、０．１４インチ、０．１５インチ、０．１６インチ、０．１７インチ、０．１８インチ、０．１９インチ、０．２０インチ、０．２１インチ、０．２２インチ、０．２３インチ、０．２４インチ、０．２５インチ、０．２６インチ、０．２７インチ、０．２８インチ、０．２９インチ、または０．３０インチであり得る。
【００４６】
クラブ・ヘッド１００は、ロフト平面１０１０と奥部１８０との間においてロフト平面１０１０に直交した方向に沿って測定された奥部深さ１８２を更に含む。多くの実施形態において、クラブ・ヘッド１００の奥部深さ１８２は、１．５インチより大きい。他の実施形態において、クラブ・ヘッド１００の奥部深さ１８２は、１．６インチより大きい、１．７インチより大きい、１．８インチより大きい、１．９インチより大きい、２．０インチより大きい、２．１インチより大きい、２．２インチより大きい、２．３インチより大きい、２．４インチより大きい、または２．５インチより大きい。例えば、幾つかの実施形態において、クラブ・ヘッド１００の奥部深さ１８２は、１．５インチ〜３．０インチの間、１．５インチ〜２．５インチの間、２．０インチ〜３．０インチの間、２．０インチ〜２．５インチの間、または２．５インチ〜３．０インチの間であり得る。
【００４７】
クラブ・ヘッド１００の奥部深さ比は、クラブ・ヘッド１００の深さ１４０に対する奥部深さ１８２の比として規定される。多くの実施形態において、奥部深さ比は、０．３５より大きい。他の実施形態において、奥部深さ比は、０．４０より大きい、０．４５より大きい、０．４６より大きい、０．４７より大きい、０．４８より大きい、０．４９より大きい、０．５０より大きい、０．５１より大きい、０．５２より大きい、０．５３より大きい、０．５４より大きい、０．５５より大きい、または０．６０より大きい。例えば、幾つかの実施形態において、クラブ・ヘッド１００の奥部深さ比Ｂは、０．４０〜０．６０の間、０．４５〜０．６０の間、０．４０〜０．５５の間、０．４５〜０．５５の間、０．４７〜０．５３の間、または０．４９〜０．５１の間であり得る。
【００４８】
クラブ・ヘッド１００のソール湾曲プロファイル１６６は、前端部１０６と後端部１０８との間におけるソール湾曲プロファイル１６６の様々なセクションの各々に沿った曲率半径の観点から更に説明され得る。図４を参照すると、ソール湾曲プロファイル１６６の第１の凹セクション１６８は、第１のセクション曲率半径Ｒ２を有する第１の湾曲セクション１８４と、第２のセクション曲率半径Ｒ３を有する第２の湾曲セクション１８６に分割される。第１の湾曲セクション１８４は、ソール遷移点１６２から、第１の凹セクション遷移点１８８まで延びている。第１の凹セクション遷移点１８８は、第１のセクション曲率半径Ｒ２が第２のセクション曲率半径Ｒ３に遷移するソール湾曲プロファイル１６６に沿った点として規定されている。第２の湾曲セクション１８６は、第１の凹セクション遷移点１８８から、凸セクション１７０から第２の湾曲セクション１８６を分割する第１の変曲点１７４まで延びている。ソール湾曲プロファイル１６６の凸セクション１７０は、凸セクション曲率半径Ｒ４を含む。最後に、第２の凹セクション１７２は、第２の凹セクション曲率半径Ｒ５を含む。
【００４９】
幾つかの実施形態において、第１のセクション曲率半径Ｒ２は、約１．００インチから３．５０インチの範囲であり得る。示される実施形態において、第１のセクション曲率半径Ｒ２は、約１．７５インチである。他の実施形態において、第１のセクション曲率半径Ｒ２は、３．００インチ未満、２．５０インチ未満、２．２５インチ未満、２．００インチ未満、または１．７５インチ未満であり得る。例えば、第１のセクション曲率半径Ｒ２は、約１．００インチ、１．２５インチ、１．５インチ、１．７５インチ、２．００インチ、２．２５インチ、または２．５０インチであり得る。
【００５０】
幾つかの実施形態において、第２のセクション曲率半径Ｒ３は、約１．０インチから１０．０インチの範囲であり得る。一実施形態において、第２のセクション曲率半径Ｒ３は、約６．０インチである。他の実施形態において、第２のセクション曲率半径Ｒ３は、９．０インチ未満、８．０インチ未満、７．０インチ未満、６．０インチ未満、５．０インチ未満、４．０インチ未満、３．０インチ未満、または２．０インチ未満であり得る。例えば、第２のセクション曲率半径Ｒ３は、約３．０インチ、４．０インチ、５．０インチ、６．０インチ、７．０インチ、８．０インチ、または９．０インチであり得る。
【００５１】
クラブ・ヘッド１００の奥部高さ比は、第１の凹セクション１６８の曲率半径Ｒ３に対する奥部高さの比として規定される。奥部高さは、曲率半径Ｒ３に反比例する。曲率半径Ｒ３の大きさが小さくなるにつれて、奥部高さが高くなる。曲率半径Ｒ３の大きさが大きくなるにつれて、奥部高さが低くなる。多くの実施形態において、奥部高さ比は、０．３３以下である。他の実施形態において、奥部高さ比は、０．３０未満、０．２５未満、０．２０未満、０．１５未満、０．１０未満、または０．０５未満である。他の実施形態において、奥部高さ比は、０．００１〜０．０５、０．０５〜０．１０、０．１０〜０．１５、０．１５〜０．２０、０．２０〜０．２５、０．２５〜０．３０、または０．３０〜０．３３の間の範囲であり得る。
【００５２】
幾つかの実施形態において、凸セクション曲率半径Ｒ４は、約１．０インチから９．０インチの範囲であり得る。一実施形態において、凸セクション曲率半径Ｒ４は、約２．５インチである。他の実施形態において、凸セクション曲率半径Ｒ４は、８．０インチ未満、７．０インチ未満、６．０インチ未満、５．０インチ未満、４．０インチ未満、３．５インチ未満、３．０インチ未満、または２．５インチ未満であり得る。例えば、凸セクション曲率半径Ｒ４は、約１．０インチ、２．０インチ、２．５インチ、３．０インチ、４．０インチ、５．０インチ、６．０インチ、７．０インチ、８．０インチ、または９．０インチであり得る。
【００５３】
幾つかの実施形態において、第２の凹セクション曲率半径Ｒ５は、約３．０インチから１０．０インチの範囲であり得る。示される実施形態において、第２の凹セクション曲率半径Ｒ５は、約６．０インチである。他の実施形態において、第２の凹セクション曲率半径Ｒ５は、９．０インチ未満、８．０インチ未満、７．０インチ未満、６．０インチ未満、または５．０インチ未満であり得る。例えば、第２の凹セクション曲率半径Ｒ５は、約３．０インチ、４．０インチ、５．０インチ、６．０インチ、７．０インチ、８．０インチ、または９．０インチであり得る。他の実施形態において、クラブ・ヘッド１００のソール湾曲プロファイル１６６は、多項式、または二次式によっても決定され得る。
【００５４】
上述のようなへこんだ領域１５２は、クラブ・ヘッド１００のソール１１２が従来技術のメタルウッド・クラブ・ヘッドに比べて、前端部１０６と後端部１０８との間においてはるかに急に湾曲したプロファイルに沿うことを可能にする（すなわち、ソール湾曲プロファイルが前端部と後端部との間に延びるのに伴い１０インチより大きい曲率半径となる）。これは、クラブ・ヘッド１００がゴルフ・ボールに衝突するときに、クラブ・ボディ１０２のソール１１２において、より大きいたわみを生じやすくする。クラブ・ボディ１０２の比較的大きいたわみは、従来のメタルウッド・ゴルフ・クラブに比べて、クラブ・ヘッド１００のより大きいたわみをもたらし得る。
【００５５】
ゴルフ・クラブ・ヘッド１００は、衝突時に生成される内部エネルギーを、比較対象のクラブを超える１．０ｌｂｆインチ〜８．０ｌｂｆインチの間へと高め得る。幾つかの実施形態において、ゴルフ・クラブ・ヘッド２００により衝突時に生成される内部エネルギーは、１．０ｌｂｆインチ、２．０ｌｂｆインチ、３．０ｌｂｆインチ、４．０ｌｂｆインチ、５．０ｌｂｆインチ、６．０ｌｂｆインチ、７．０ｌｂｆインチ、または８．０ｌｂｆインチであり得る。内部エネルギーのこの大幅な増加は、０．１ｍｐｈ、０．２ｍｐｈ、０．３ｍｐｈ、０．４ｍｐｈ、０．５ｍｐｈ、０．６ｍｐｈ、０．７ｍｐｈ、０．８ｍｐｈ、０．９ｍｐｈ、１．０ｍｐｈ、１．１ｍｐｈ、１．２ｍｐｈ、１．３ｍｐｈ、１．４ｍｐｈ、または１．５ｍｐｈだけ増加したボール速度もたらし、これにより、１ヤード〜１０ヤードの間でゴルフ・ボールの飛距離の増加をもたらし得る。幾つかの実施形態において、ゴルフ・ボールの飛距離は、１ヤード、２ヤード、３ヤード、４ヤード、５ヤード、６ヤード、７ヤード、８ヤード、９ヤード、または１０ヤード増加し得る。
【００５６】
更に、衝突中におけるソール１１２の比較的大きいたわみは、クラブ・ヘッド１００との衝突時にゴルフ・ボールに生じるボール・スピン速度の低下をもたらし得る。例えば、スピン速度は、毎分約１５０回転（ＲＰＭ：ｒｅｖｏｌｕｔｉｏｎｓ  ｐｅｒ  ｍｉｎｕｔｅ）だけ低下させられ得る。幾つかの実施形態において、スピン速度は、１０ＲＰＭ、２０ＲＰＭ、３０ＲＰＭ、４０ＲＰＭ、５０ＲＰＭ、６０ＲＰＭ、７０ＲＰＭ、８０ＲＰＭ、９０ＲＰＭ、１００ＲＰＭ、１１０ＲＰＭ、１２０ＲＰＭ、１３０ＲＰＭ、１４０ＲＰＭ、または１５０ＲＰＭだけ低下させられ得る。幾つかの例において、ボール・スピン速度は、１６０ＲＰＭ、１７０ＲＰＭ、１８０ＲＰＭ、１９０ＲＰＭ、または、更には、２００ＲＰＭだけ低下させられ得る。
【００５７】
ＩＩＩ．逆反りソールおよび内部湾曲梁
図５〜図７は、本発明の別の実施形態によるゴルフ・クラブ・ヘッド２００を示す。ゴルフ・クラブ・ヘッド２００は、ゴルフ・クラブ・ヘッド１００と同様であり、ゴルフ・クラブ・ヘッド１００と実質的に同じ構造を含む。したがって、以下の説明は、図１〜図４に関連した上述の実施形態と異なる構造および特徴に主に焦点を置く。図１〜図４に関連して説明されている特徴および要素は、図５〜図７において２００番台の参照符号を付されている。以下で明示的に説明されていないゴルフ・クラブ・ヘッド２００の特徴は、ゴルフ・クラブ・ヘッド１００の特徴と同じ性質を有することが理解されなければならない。
【００５８】
ゴルフ・クラブ・ヘッド１００と同様に、ゴルフ・クラブ・ヘッド２００は、ソール２１２に形成されたへこんだ領域２５２（図５）を含む。図５および図６を参照すると、ゴルフ・クラブ・ヘッド２００は、第１の端部２９１において、および第２の端部２９２においてソール２１２に装着され、第１の端部２９１と第２の端部２９２との間においてゴルフ・クラブ・ヘッド２００の内部空洞２１８を通って延びた内部梁２９０を更に含む。示される実施形態において、ゴルフ・クラブ・ヘッド２００は、３つの梁２９０を含む。他の実施形態において、ゴルフ・クラブ・ヘッド２００は、１つ、２つ、４つ、５つ、６つ、７つ、８つ、９つまたは１０個の梁２９０を含み得る。
【００５９】
各梁２９０の第１の端部２９１は、ゴルフ・クラブ・ヘッド２００の前端部２０６に近接した位置においてソール２１２に装着されている。例えば、示される実施形態において、第１の端部２９１は、フェース・ソール遷移境界２５６に近接したソール２１２の一部に装着されている。各梁２９０の第２の端部２９２は、へこんだ領域２５２に、またはへこんだ領域２５２の近くにおいてソール２１２に装着されている。
【００６０】
各梁２９０は、略前後方向に、または略Ｚ軸１０１６に沿った方向に延びている。幾つかの実施形態において、各梁２９０は、第１の端部２９１と第２の端部２９２との間において略直線の経路に沿う。示される実施形態では、各梁２９０は、第１の端部２９１と第２の端部２９２との間において曲線の経路に沿っている。特に、各梁２９０は、第１の端部２９１と第２の端部２９２との間において略弧形の経路に沿っている。更に、示される実施形態では、梁２９０は、互いに略平行に延びており、および、各梁２９０は、略同じ弧形の経路に沿っている。他の実施形態において、梁２９０は、第１の端部２９１と第２の端部２９２との間において、互いに異なるそれぞれの経路に沿い得る。
【００６１】
各梁２９０の梁高さ２９３は、ソールの内面に直交するように測定された、梁２９０とソール２１２の内面との間の最大距離として規定される。梁高さ２９３は、０．０１０インチ〜１．０００インチの範囲であり得る。幾つかの実施形態において、梁高さ２９３は、０．０１０インチ〜０．１０インチ、０．１０インチ〜０．２０インチ、０．２０インチ〜０．３０インチ、０．３０インチ〜０．４０インチ、０．４０インチ〜０．５０インチ、０．５０インチ〜０．６０インチ、０．６０インチ〜０．７０インチ、０．７０インチ〜０．８０インチ、０．８０インチ〜０．９０インチ、または０．９０インチ〜１．０インチの間の範囲であり得る。幾つかの実施形態において、梁高さ２９３は、０．１０インチ、０．２０インチ、０．３０インチ、０．４０インチ、０．５０インチ、０．６０インチ、０．７０インチ、０．８０インチ、０．９０インチ、または１．０インチであり得る。
【００６２】
図７を参照すると、各梁２９０は、梁２９０が梁２９０の経路に直交するように広がる平面により切断されるように規定された断面形状２９４を含む。示される実施形態において、各梁２９０の断面形状２９４は、長方形である。他の実施形態において、各梁２９０の断面形状２９４は、円形、三角形、長方形、台形、八角形、または任意の他の望ましい断面形状であってもよい。
【００６３】
示される実施形態において、各梁２９０の断面形状２９４は、略ヒール・トウ方向に測定された幅２９５と、略クラウン・ソール方向に測定された厚さ２９６を含む。幅２９５は、約０．０１０インチ〜１．０００インチの範囲であり得る。幅２９５は、０．０１０インチ、０．０５インチ、０．１０インチ、０．２０インチ、０．３０インチ、０．４０インチ、０．５０インチ、０．６０インチ、０．７０インチ、０．８０インチ、０．９０インチ、または１．０インチであり得る。示される実施形態において、幅２９５は、約０．２インチである。
【００６４】
厚さ２９６は、約０．０１０インチ〜０．５００インチの範囲であり得る。幾つかの実施形態において、厚さ２９６は、０．０１０インチ、０．０１５インチ、０．０２０インチ、０．０２５インチ、０．０３０インチ、０．０３５インチ、０．０４０インチ、０．０４５インチ、または０．０５０インチであり得る。示される実施形態において、厚さ２９６は、約０．０３３インチである。更に、各梁２９０は、近接した梁の各々から約０．５インチだけ離れている。
【００６５】
他の実施形態において、梁２９０は、０．０５０インチ〜１．０００インチの範囲の距離だけ互いに離れ得る。幾つかの実施形態において、梁２９０は、０．０１０インチ、０．０１５インチ、０．０２０インチ、０．０２５インチ、０．０３０インチ、０．０３５インチ、０．０４０インチ、０．０４５インチ、または０．０５０インチの距離だけ互いに離れ得る。
【００６６】
幾つかの実施形態において、梁２９０は、クラブ・ヘッド２００のボディ２０４と同じ材料から形成され得、ボディ２０４と一体的に形成され得る。他の実施形態において、梁２９０は、ボディ２０４とは別に形成されて、例えば、溶接、樹脂接着、または任意の他の適切な連結方法といった連結方法によりボディ２０４に結合され得る。これらの実施形態において、梁２９０は、クラブ・ヘッド２００のボディ２０４と同じまたは異なる材料から形成され得る。
【００６７】
図８および図９は、本発明の別の実施形態によるゴルフ・クラブ・ヘッド３００を示す。ゴルフ・クラブ・ヘッド３００は、ゴルフ・クラブ・ヘッド２００と同様であり、ゴルフ・クラブ・ヘッド２００と実質的に同じ構造を含む。したがって、以下の説明は、図５〜図７に関連した上述の実施形態と異なる構造および特徴に主に焦点を置く。図５〜図７に関連して説明されている特徴および要素は、図８および図９において３００番台の参照符号を付されている。以下で明示的に説明されていないゴルフ・クラブ・ヘッド３００の特徴は、ゴルフ・クラブ・ヘッド２００の特徴と同じ性質を有することが理解されなければならない。
【００６８】
ゴルフ・クラブ・ヘッド１００および２００と同様に、ゴルフ・クラブ・ヘッド３００は、ソール３１２に形成されたへこんだ領域３５２を含む。また、ゴルフ・クラブ・ヘッド２００と同様に、ゴルフ・クラブ・ヘッド３００は、第１の端部３９１と第２の端部３９２との間に延びた内部梁３９０を含む。しかし、ゴルフ・クラブ・ヘッド２００と異なり、クラブ・ヘッド３００の梁３９０の第１の端部３９１は、ソール３１２に装着されていない。各梁３９０の第１の端部３９１は、前端部３０６に装着されている。特に、各梁３９０の第１の端部３９１は、前端部３０６の外縁部３２０に装着されている。更に、示される実施形態において、クラブ・ヘッド３００は、４つの梁３９０を含む。他の実施形態において、クラブ・ヘッド３００は、１つ、２つ、３つ、５つ、６つ、７つ、８つ、９つまたは１０個の梁２９０を含み得る。クラブ・ヘッド３００の梁３９０は、クラブ・ヘッド２００に関連した上述の経路のうちの任意のものに沿い得る。同様に、梁３９０は、クラブ・ヘッド２００に関連した上述の梁高さ２９３、断面形状２９４、幅２９５、および厚さ２９６と同様の、梁高さ３９３、断面形状３９４、幅３９５、および厚さ３９６を含み得る。
【００６９】
ＩＶ．例
例１：逆反りソールを含むゴルフ・クラブ・ヘッド
図１０〜図１２を参照すると、ソール４１２がクラブ・ヘッド４００の内部空洞４１８に向かう方向に内側に曲がっているへこみまたはへこんだ領域４５２を含むソール４１２を含むウッド・タイプのゴルフ・クラブ・ヘッド４００が示される。したがって、典型的なウッドは、前端部と後端部との間に比較的大きい曲率半径（すなわち、約２２〜２５インチの曲率半径）を有するソール・プロファイルを含む。対照的に、ゴルフ・クラブ・ヘッド４００のへこんだ領域４５２は、ソール４１２が前端部４０６と後端部４０８との間においてはるかに急に湾曲したプロファイルに沿うことを可能にする。更に、クラブ・ヘッド４００の示される実施形態において、ソール４１２のどの部分もＹＺ平面４０２２に沿って取得された側面断面図から見られた場合６インチより大きい曲率半径を含まない。
【００７０】
上述のへこんだ領域４５２は、このプロファイルを含まないメタルウッド・クラブ・ヘッドと比べると、クラブ・ヘッド４００のソール４１２が前端部４０６と後端部４０８との間においてはるかに急に湾曲したプロファイルに沿うことを可能にする。これは、クラブ・ヘッド４００がゴルフ・ボールに衝突するときにクラブ・ボディ４０２のソール４１２において、より大きいたわみを生じやすくする。クラブ・ボディ４０２のより大きいたわみは、へこんだ領域４５２を含まない従来のメタルウッド・ゴルフ・クラブと比べると、クラブ・ヘッド４００内においてより多くの量の内部エネルギーを生成する。
【００７１】
図１３を参照すると、ゴルフ・クラブ・ヘッド４００により衝突時に生成される内部エネルギーが、ソール（なお、ソール・プロファイルは、クラブの前端部と後端部との間に比較的大きい曲率半径を有する）にへこんだ領域を含まないゴルフ・クラブ・ヘッド（以下、「比較対象のクラブ」）により衝突時に生成される内部エネルギーと比較されている。ゴルフ・クラブ・ヘッド４００のへこんだ領域４５２は、比較対象のクラブを超える約７．８ｌｂｆインチぶんのゴルフ・クラブ・ヘッド４００の内部エネルギーの増加をもたらし、これによりたわみを大きくする。内部エネルギーのこの７．８ｌｂｆインチの増加は、（１００ｍｐｈのスイング速度で）時速約１．０マイル（ｍｐｈ）のボール速度の上昇をもたらし、これにより、少なくとも５ヤードだけゴルフ・ショットを長くする。更に、ゴルフ・クラブ・ヘッド４００のへこんだソール４１２は、ゴルフ・クラブ・ヘッドに、衝突直後により多くの振動エネルギーを蓄え、ゴルフ・クラブ・ヘッド４００からゴルフ・ボールへの、より高いエネルギーの伝達を可能にし、これにより、ボール速度を上昇させる。
【００７２】
更に、ゴルフ・クラブ・ヘッド４００のへこんだ領域４５２は、ストライク・フェースの中心より下方において打たれたショットのボール速度を改善する。へこんだソール４１２のより大きいたわみは、低フェース打撃によりもたらされる高バック・スピンを軽減し、比較対象のクラブより遠くまで飛ぶゴルフ・ショットをもたらす。ソール４１２におけるへこんだ領域４５２は、クラブ・ヘッド４００の前端部４０６が接地面に向かって下方に、および、ゴルフ・クラブ・ヘッド４００の後端部４０８に向かって、ばね様の手法により圧縮することを可能にする。これは、ばねエネルギーを生成し、ゴルフ・クラブ４００をディロフトさせ、これにより、ゴルフ・クラブ４００の全体的な内部エネルギーを増加させ、スピン速度を低下させる。
【００７３】
更に、衝突中におけるソール４１２の比較的大きいたわみは、比較対象のクラブを超える、クラブ・ヘッド４００との衝突時にゴルフ・ボールに生じるボール・スピン速度の低下をもたらし得る。一実施形態において、スピン速度は、最大毎分１５０回転（ＲＰＭ）だけ低下させられ得る。幾つかの実施形態において、ボール・スピン速度は、約６００ＲＰＭから約４５０ＲＰＭまで低下させられ得る。ゴルフ・クラブ・ヘッド４００のより大きいたわみにより生成された、より速いボール速度とより低いスピン速度との組合せが、比較対象のクラブを超える、より直線的でかつより遠くまで飛ぶゴルフ・ショットをもたらす。
【００７４】
例２：逆反りソールと内部湾曲梁とを含むゴルフ・クラブ・ヘッド
一実施形態において、逆反りソール２１２（へこんだ領域２５２）と１つまたは複数の内部湾曲梁２９０とを含む例示的なゴルフ・クラブ・ヘッド２００が、内部湾曲梁を一切含まない非常に柔軟な逆反りソールを含むゴルフ・クラブ・ヘッド（以下、「比較対象のクラブ」）と比較されている。１つまたは複数の内部湾曲梁２９０は、柔軟な反ったソール２１２を部分的に高剛性化するように機能し、および支持するように機能する。
【００７５】
前述のように、逆反りソール２１２は、内部エネルギーを高め、ゴルフ・クラブ・ヘッド２００により打たれたゴルフ・ボールの、結果として得られるボール速度を高め得る。しかし、非常に速いゴルフ・スイングに対して、逆反りソール２１２は、ソール２１２の永久的な変形またはソール２１２の破損を防ぐために、補強（１つまたは複数の内部湾曲梁２９２）を必要とし得る。
【００７６】
比較対象のクラブと比較すると、例示的なゴルフ・クラブ・ヘッド２００は、へこんだ領域２５２によりもたらされるソール２１２における幾らかのたわみを防ぐ。しかし、ゴルフ・クラブ・ヘッド２００は、比較対象のクラブほど柔軟ではないが、依然としてクラブ・ヘッド２００およびストライク・フェース２０４の全体の大幅なたわみを可能にし、これにより、ソール２１２を構造的に補強しながら、ゴルフ・クラブ・ヘッド２００の内部エネルギーを増加させる。
【００７７】
幾つかの実施形態において、逆反りソール２１２と１つまたは複数の内部湾曲梁２９０とを含む例示的なゴルフ・クラブ・ヘッド２００は、衝突時に生成される内部エネルギーを、比較対象のクラブを超える１．０ｌｂｆインチ〜７．０ｌｂｆインチの間へと高め得る。幾つかの実施形態において、ゴルフ・クラブ・ヘッド２００により衝突時に生成される内部エネルギーは、１．０ｌｂｆインチ、２．０ｌｂｆインチ、３．０ｌｂｆインチ、４．０ｌｂｆインチ、５．０ｌｂｆインチ、６．０ｌｂｆインチ、または７．０ｌｂｆインチであり得る。内部エネルギーのこの大幅な増加は、０．１ｍｐｈ、０．２ｍｐｈ、０．３ｍｐｈ、０．４ｍｐｈ、０．５ｍｐｈ、０．６ｍｐｈ、０．７ｍｐｈ、０．８ｍｐｈ、０．９ｍｐｈ、または１．０ｍｐｈぶんのボール速度の増加をもたらし、これにより、ゴルフ・ボールの飛距離を最大５ヤード増加させる。
【００７８】
本開示の様々な特徴および利点が後述の特許請求の範囲に記載されている。
【００７９】
条項１：中空ボディ・ゴルフ・クラブであって、前端部を有するボディと、前記前端部の反対側にある後端部と、クラウンと、前記クラウンの反対側にあり、ソール表面を規定するソールであって、ゴルフ・クラブ・ヘッドがゴルフ・ボールを打つためにアドレス位置にあるときに、接地面が前記ソール表面に接する、前記ソールと、ヒールと、前記ヒールの反対側にあるトウと、ホーゼル構造物にある孔の中心を通って延びるホーゼル軸を有する前記ホーゼル構造物と、前記前端部に位置し、幾何学的中心と、前記幾何学的中心に接するロフト平面と、を規定するストライク・フェースと、を備え、前記幾何学的中心は、前記幾何学的中心を有する座標系を更に規定し、前記座標系は、前記ヒールと前記トウとの間において、前記幾何学的中心を通って延びるＸ軸と、前記クラウンと前記ソールとの間において、前記幾何学的中心を通って延び、前記Ｘ軸に直交するＹ軸と、前記前端部と前記後端部との間において、前記幾何学的中心を通って延び、前記Ｘ軸と前記Ｙ軸とに直交するＺ軸と、を備え、前記Ｙ軸と前記Ｚ軸とがともに、前記クラウンと前記ソールとの間に、および前記前端部と前記後端部との間に延びるＹＺ平面を規定し、前記中空ボディ・ゴルフ・クラブは、前記ソールと前記ストライク・フェースとの交差部により規定されるソール遷移点と、前記ソール表面と前記ＹＺ平面との交差部により規定されるソール湾曲プロファイルと、を更に備え、前記ソール湾曲プロファイルは、前記ソール湾曲プロファイルが前記前端部と前記後端部との間に延びるのに伴って変化する曲率半径を備え、前記曲率半径は、前記ソール湾曲プロファイルが前記前端部と前記後端部との間に延びるとき、１０インチ以下である。
【００８０】
条項２：中空ボディ・ゴルフ・クラブ・ヘッドであって、前端部を有するボディと、前端部の反対側にある後端部と、クラウンと、前記クラウンの反対側にあるソールであって、ソール表面を規定する前記ソールと、ヒールと、前記ヒールの反対側にあるトウと、ホーゼル構造物にある孔の中心を通って延びるホーゼル軸を有するホーゼル構造物と、前端部に位置し、幾何学的中心と前記幾何学的中心に接するロフト平面とを規定するストライク・フェースと、を備え、前記幾何学的中心が、前記幾何学的中心に位置する原点を有する座標系を更に規定し、前記座標系は、前記ヒールと前記トウとの間において前記幾何学的中心を通って延びるＸ軸と、前記クラウンと前記ソールとの間において前記幾何学的中心を通って延び、前記Ｘ軸に直交するＹ軸と、前記前端部と前記後端部との間において前記幾何学的中心を通って延び、前記Ｘ軸と前記Ｙ軸とに直交するＺ軸と、を含み、前記Ｘ軸と前記Ｚ軸とがともに、前記ヒール端部と前記トウ端部との間に、および前記前端部と前記後端部との間に延びるＸＺ平面を規定し、前記Ｙ軸と前記Ｚ軸とがともに、前記クラウンと前記ソールとの間に、および前記前端部と前記後端部との間に延びるＹＺ平面を規定し、ソール湾曲プロファイルは、前記ソール表面と前記ＹＸ平面との交差部により規定されており、前記ソール湾曲プロファイルは、第１の凹セクションと、凸セクションと、第２の凹セクションと、を含み、前記第１の凹セクションは、前記前端部に近接して位置しており、前記ＸＺ平面に対して凹状であり、前記第２の凹セクションはが、前記後端部に近接して位置しており、前記ＸＺ平面に対して凹状であり、前記凸セクションは、前記第１の凹セクションと前記第２の凹セクションとの間に位置しており、前記ＸＺ平面に対して凸状であり、ソール湾曲プロファイルは、前記第１の凹セクションと前記凸セクションとを分割する変曲点を更に含み、前記クラブ・ヘッドは、前記ロフト平面に直交した方向に沿って前記ロフト平面と前記変曲点との間において測定される変曲点深さを規定し、クラブ・ヘッドは、前記Ｚ軸と平行な方向において、前記前端部の最も離れた範囲と前記後端部の最も離れた範囲との間において測定されるクラブ・ヘッド深さを規定し、変曲点深さ比は、前記クラブ・ヘッド深さに対する前記変曲点深さの比として規定され、変曲点深さ比は、０．２５から０．４５の間である、中空ボディ・ゴルフ・クラブ・ヘッド。
【００８１】
条項３：中空ボディ・ゴルフ・クラブ・ヘッドであって、前端部を有するボディと、前記前端部の反対側にある後端部と、クラウンと、前記クラウンの反対側にあるソールと、ヒールと、前記ヒールの反対側にあるトウと、ホーゼル構造物にある孔の中心を通って延びるホーゼル軸を有する前記ホーゼル構造物と、前記前端部に位置しており、幾何学的中心と前記幾何学的中心に接するロフト平面とを規定するストライク・フェースと、を備え、前記幾何学的中心は、前記幾何学的中心に位置する原点を有する座標系を更に規定し、前記座標系は、前記ヒールと前記トウとの間において前記幾何学的中心を通って延びるＸ軸と、前記クラウンと前記ソールとの間において前記幾何学的中心を通って延び、前記Ｘ軸に直交するＹ軸と、前記前端部と前記後端部との間において前記幾何学的中心を通って延び、前記Ｘ軸と前記Ｙ軸とに直交するＺ軸と、を含み、前記Ｘ軸と前記Ｚ軸とがともに、前記ヒール端部と前記トウ端部との間に、および前記前端部と前記後端部との間に延びるＸＺ平面を規定し、前記ソールは、前記ソールが前記ＸＺ平面に向けて延びるへこんだ領域を含み、前記へこんだ領域は、前記へこんだ領域は、前記ＸＺ平面に直交する方向に沿って、前記ＸＺ平面に最も近くに延びている奥部を規定し、前記クラブ・ヘッドは、前記ロフト平面に直交した方向に沿って前記ロフト平面と前記奥部との間において測定される奥部深さを規定し、前記クラブ・ヘッドは、前記Ｚ軸と平行な方向に前記前端部の最も離れた範囲と前記後端部の最も離れた範囲との間において測定されるクラブ・ヘッド深さを規定し、前記奥部深さ比は、前記クラブ・ヘッド深さに対する前記奥部深さの比として規定され、前記奥部深さ比は、０．４５から０．６０の間である、中空ボディ・ゴルフ・クラブ・ヘッド。
【００８２】
条項４：前記曲率半径は、第１の変曲点と、第２の変曲点と、を備え、前記ソール湾曲は、前記ソール遷移点から前記第１の変曲点まで延び、前記ＸＺ平面に対して凹状である第１の凹セクションと、前記第１の変曲点から前記第２の変曲点まで延び、前記ＸＺ平面に対して凸状である凸セクションと、前記第２の変曲点から前記後端部まで延び、前記ＸＺ平面に対して凹状である第２の凹セクションと、を備える、条項１に記載のゴルフ・クラブ・ヘッド。
【００８３】
条項５：前記第１の凹セクションは、曲率半径（Ｒ３）を備え、前記凸セクションは、曲率半径（Ｒ４）を備え、前記第２の凹セクションは、曲率半径（Ｒ５）を備える、条項４に記載のゴルフ・クラブ・ヘッド。
【００８４】
条項６：前記ソール湾曲プロファイルは、奥部を備え、前記奥部は、前記ＸＺ平面に最も近い前記ソール湾曲プロファイル上の点を表し、前記奥部は、前記凸部上に位置している、条項５に記載のゴルフ・クラブ・ヘッド。
【００８５】
条項７：前記奥部は、奥部高さを備え、前記奥部高さは、前記接地面から前記奥部まで垂直に測定される、条項６に記載のゴルフ・クラブ・ヘッド。
【００８６】
条項８：前記奥部高さは、前記第１の凹セクションの前記曲率半径（Ｒ３）に反比例している、条項７に記載のゴルフ・クラブ・ヘッド。
【００８７】
条項９：奥部高さ比を更に備え、前記奥部高さ比は、前記第１の凹セクションの前記曲率半径（Ｒ３）に対する前記奥部高さの比として規定される、条項８に記載のゴルフ・クラブ・ヘッド。
【００８８】
条項１０：前記奥部高さ比は、０．３３未満である、条項９に記載のゴルフ・クラブ・ヘッド。
【００８９】
条項１１：前記奥部高さ比は、０．００１から０．０５の間である、条項１０に記載のゴルフ・クラブ・ヘッド。
【００９０】
前記曲率半径Ｒ３とＲ５は、Ｒ４以上である、条項５に記載のゴルフ・クラブ・ヘッド。
【００９１】
条項１３：前記曲率半径Ｒ３は、前記曲率半径Ｒ４の少なくとも２倍の大きさである、条項５に記載のゴルフ・クラブ・ヘッド。
【００９２】
条項１４：深さと、奥部深さと、を更に備え、前記クラブ・ヘッドの前記深さは、前記Ｚ軸と平行な方向において、前記前端部から前記後端部までの最も離れた点として測定され、前記奥部深さは、前記ロフト平面から前記奥部まで垂直に測定される、条項８に記載のゴルフ・クラブ・ヘッド。
【００９３】
条項１５：奥部深さ比を更に備え、前記奥部深さ比は、前記クラブ・ヘッドの前記深さに対する前記奥部深さの比として規定される、条項１４に記載のゴルフ・クラブ・ヘッド。
【００９４】
条項１６：前記奥部深さ比は、０．３５より大きい、条項１５に記載のゴルフ・クラブ・ヘッド。
【００９５】
条項１７：前記奥部深さ比は、０．４０から０．６０の間である、条項１６に記載のゴルフ・クラブ・ヘッド。
【００９６】
条項１８：前記曲率半径Ｒ５は、１０インチより大きい、条項５に記載のゴルフ・クラブ・ヘッド。
【００９７】
条項１９：前記第１の変曲点は、深さをも備え、前記第１の変曲点深さは、前記ロフト平面に直交した方向に沿って、前記ロフト平面と前記第１の変曲点との間で測定される、条項１５に記載のゴルフ・クラブ・ヘッド。
【００９８】
条項２０：変曲点深さ比を更に備え、前記変曲点深さ比は、前記クラブ・ヘッドの前記深さに対する前記第１の変曲点深さの比として規定される、条項１９に記載のゴルフ・クラブ・ヘッド。
【００９９】
条項２１：前記変曲点深さ比は、０．２５より大きい、条項２０に記載のゴルフ・クラブ・ヘッド。
【０１００】
条項２２：前記変曲点深さ比は、０．２５から０．４５の間である、条項２１に記載のゴルフ・クラブ・ヘッド。
【０１０１】
１つまたは複数の請求項に記載された要素の置換は再構築を構成するのであり、修復を構成するのではない。更に、利益、他の利点、および問題に対する解決策が、特定の実施形態に関連して説明されている。しかし、利益、利点、問題に対する解決策、および、任意の利益、利点、もしくは解決策を生じさせる、またはより明確にさせ得る任意の１つまたは複数の要素は、このような利益、利点、解決策、または要素が請求項のうちのいずれかまたはすべてに明示的に記載されていない限り、請求項のうちのいずれかもしくはすべての重要な、必要な、あるいは本質的な特徴または要素と解釈されない。
【０１０２】
ゴルフのルールは時に応じて変わり得る（例えば、ゴルフ規格機関および／または管理組織、例えば、全米ゴルフ協会（ＵＳＧＡ）、ロイヤル・アンド・エンシェント・ゴルフ・クラブ・オブ・セント・アンドルーズ（Ｒ＆Ａ：ｔｈｅ  Ｒｏｙａｌ  ａｎｄ  Ａｎｃｉｅｎｔ  Ｇｏｌｆ  Ｃｌｕｂ  ｏｆ  Ｓｔ．  Ａｎｄｒｅｗｓ）などにより、新しい規則が採用され得、または、古いルールが除外され、もしくは変更され得る）ので、本明細書において説明されている装置、方法、および製品に関連したゴルフ用品は、任意の特定の時点におけるゴルフのルールに適合する場合があり、または適合しない場合がある。したがって、本明細書において説明されている装置、方法、および製品に関連したゴルフ用品は、適合する、または適合しないゴルフ用品として宣伝され、販売の申出をされ、および／または販売され得る。本明細書において説明されている装置、方法、および製品はこの点について限定されない。
【０１０３】
上記の例はウッド・タイプのゴルフ・クラブに関連して説明され得るが、本明細書において説明されている装置、方法、および製品は、ドライバ、フェアウェイ・ウッド、ハイブリッド、クロスオーバー、または任意の中空ボディ・タイプのゴルフ・クラブを包含する様々なタイプのゴルフ・クラブに適用可能であり得る。
【０１０４】
更に、本明細書において開示されている実施形態および限定は、実施形態および／または限定が（１）特許請求の範囲に明示的に記載されていない場合、および、（２）均等論のもとで請求項に明示された要素および／もしくは限定の均等なものであるか、または、均等なものである可能性があるものである場合、公有の原則のもとで公衆に捧げられない。
【０１０５】
本発明が特定の好ましい実施形態を参照しながら詳細に説明されたが、変形例および変更例が、説明されている本発明の１つまたは複数の独立した態様の範囲および趣旨の中に存在する。
【図１】
2021529042.tif 000003
【図２】
2021529042.tif 000004
【図３】
2021529042.tif 000005
【図４】
2021529042.tif 000006
【図５】
2021529042.tif 000007
【図６】
2021529042.tif 000008
【図７】
2021529042.tif 000009
【図８】
2021529042.tif 000010
【図９】
2021529042.tif 000011
【図１０】
2021529042.tif 000012
【図１１】
2021529042.tif 000013
【図１２】
2021529042.tif 000014
【図１３】
2021529042.tif 000015
【国際調査報告】
2021529042.tif 000016